(57)【要約】【課題】二連型ＬＣコネクタに対応し、二つの光伝送路を構成することができ、しかも二つの光伝送路の通信状態を個別に確認することが可能な二連型ＬＣ用通信光検知用アダプタ及び二連型ＬＣ用通信光検知構造を提供する。【解決手段】第１の光伝送路１０３が配置されると共に第１の壁面１１０で区画されて他の空間から隔離された第１の空間１０６と、第１の空間１０６から第１の漏洩光１０１を取り出す第１の光取出孔１０８と、第２の光伝送路１０４が配置されると共に第２の壁面１１１で区画されて他の空間から隔離された第２の空間１０７と、第２の空間１０７から第２の漏洩光１０２を取り出す第２の光取出孔１０９と、を有し、光に対して不透明であるアダプタ本体１０５を備える二連型ＬＣ用通信光検知用アダプタ１００である。【選択図】図１
2015200707.tif 000002
【特許請求の範囲】
【請求項１】
二連型ＬＣコネクタが嵌挿されたときに通信光の一部が漏洩光として取り出される二つの光伝送路を構成する二連型ＬＣ用通信光検知用アダプタであって、
前記二つの光伝送路のうちの第１の光伝送路が配置されると共に第１の壁面で区画されて他の空間から隔離された第１の空間と、前記第１の空間から前記漏洩光を取り出す第１の光取出孔と、前記二つの光伝送路のうちの第２の光伝送路が配置されると共に第２の壁面で区画されて他の空間から隔離された第２の空間と、前記第２の空間から前記漏洩光を取り出す第２の光取出孔と、を有し、光に対して不透明であるアダプタ本体を備えることを特徴とする二連型ＬＣ用通信光検知用アダプタ。
【請求項２】
前記第１の壁面に形成された第１の光反射層と、
前記第２の壁面に形成された第２の光反射層と、
を更に備える請求項１に記載の二連型ＬＣ用通信光検知用アダプタ。
【請求項３】
前記第１の光反射層と前記第２の光反射層は、金属板又は金属蒸着層からなる請求項２に記載の二連型ＬＣ用通信光検知用アダプタ。
【請求項４】
前記アダプタ本体は、直方体形状の外形を呈し、
前記第１の光取出孔と第２の光取出孔は、前記アダプタ本体の対向する側面に形成される請求項１から３の何れか一項に記載の二連型ＬＣ用通信光検知用アダプタ。
【請求項５】
請求項１から３の何れか一項に記載の二連型ＬＣ用通信光検知用アダプタと、
前記第１の光取出孔に嵌着される第１の受光素子と、前記第２の光取出孔に嵌着される第２の受光素子と、を有する通信光検知器と、
を備えることを特徴とする二連型ＬＣ用通信光検知構造。
【請求項６】
前記第１の光取出孔と第２の光取出孔は、同一の貫通孔からなり、
前記第１の空間と前記第２の空間との間を区画する仕切壁は、前記第１の受光素子が一面に搭載されると共に前記第２の受光素子が他面に搭載された受光基板からなる請求項５に記載の二連型ＬＣ用通信光検知構造。
【請求項７】
前記第１の光取出孔と第２の光取出孔は、同一の貫通孔からなり、
前記第１の空間と前記第２の空間との間を区画する仕切壁は、前記第１の受光素子と前記第２の受光素子との間から延在する仕切板部からなる請求項５に記載の二連型ＬＣ用通信光検知構造。
【請求項８】
前記アダプタ本体は、前記仕切壁を位置調整する案内溝を更に有する請求項６又は７に記載の二連型ＬＣ用通信光検知構造。
【発明の詳細な説明】
【技術分野】
【０００１】
本発明は、通信光を検知して光伝送路の使用／不使用の状態を目視で確認するための二連型ＬＣ用通信光検知用アダプタ及び二連型ＬＣ用通信光検知構造に関する。
【背景技術】
【０００２】
光通信関連設備では、光伝送路の健全性を監視したり、人為的な通信用光コネクタの誤抜を防止したりすべく、不可視光領域にある通信光を検知して光伝送路の使用／不使用の状態（以下、通信状態という）を確認するための通信光検知技術が使用されている。
【０００３】
この通信光検知技術を具現化したものとしては、光伝送路で伝送されている通信光の一部を漏洩光として取り出し、その漏洩光を受光素子で受光することにより、光伝送路で通信光が伝送されているか否かを検知し、人間が目視で確認することができる形態で光伝送路の通信状態を出力する通信光検知構造が知られている（例えば、特許文献１から特許文献４を参照）。
【０００４】
通信光検知構造は、受光素子が搭載された検知器本体を有する通信光検知器と、漏洩光を受光素子に向けて取り出す光取出孔が形成されたアダプタ本体を有する通信光検知用アダプタと、を備えている。
【０００５】
一般的に、通信用光コネクタには一芯一対の一連型ＳＣ（Simplex SC；ＳＳＣ）コネクタが使用されているため、それに対応する通信光検知用アダプタとしては、一連型ＳＣ用通信光検知用アダプタが使用されている。
【先行技術文献】
【特許文献】
【０００６】
【特許文献１】特開２００９−１４５６７６号公報
【特許文献２】特開２０１０−２３１０８２号公報
【特許文献３】特開２０１１−０１３３５９号公報
【特許文献４】特開２０１１−０１３３６０号公報
【特許文献５】特開２０１３−２２８６７８号公報
【発明の概要】
【発明が解決しようとする課題】
【０００７】
しかしながら、一連型ＳＣ用通信光検知用アダプタでは、近年の情報容量の増大に伴うアダプタの高密度実装には不向きであることから、二芯一対の二連型ＬＣ（Duplex LC；ＤＬＣ）コネクタに対応し、一つのアダプタで二つの光伝送路を構成することができる二連型ＬＣ用通信光検知用アダプタの登場が待たれている。
【０００８】
更に、二連型ＬＣ用通信光検知用アダプタを使用して光伝送路の通信状態を確認するにあたっては、特定の光伝送路で通信光が伝送されているか否かを識別するために、光伝送路の通信状態を個別に確認したいという要求がある。
【０００９】
そこで、本発明の目的は、二連型ＬＣコネクタに対応し、二つの光伝送路を構成することができ、しかも二つの光伝送路の通信状態を個別に確認することが可能な二連型ＬＣ用通信光検知用アダプタ及び二連型ＬＣ用通信光検知構造を提供することにある。
【課題を解決するための手段】
【００１０】
この目的を達成するために創案された本発明は、二連型ＬＣコネクタが嵌挿されたときに通信光の一部が漏洩光として取り出される二つの光伝送路を構成する二連型ＬＣ用通信光検知用アダプタであって、前記二つの光伝送路のうちの第１の光伝送路が配置されると共に第１の壁面で区画されて他の空間から隔離された第１の空間と、前記第１の空間から前記漏洩光を取り出す第１の光取出孔と、前記二つの光伝送路のうちの第２の光伝送路が配置されると共に第２の壁面で区画されて他の空間から隔離された第２の空間と、前記第２の空間から前記漏洩光を取り出す第２の光取出孔と、を有し、光に対して不透明であるアダプタ本体を備える二連型ＬＣ用通信光検知用アダプタである。
【００１１】
前記第１の壁面に形成された第１の光反射層と、前記第２の壁面に形成された第２の光反射層と、を更に備えると良い。
【００１２】
前記第１の光反射層と前記第２の光反射層は、金属板又は金属蒸着層からなると良い。
【００１３】
前記アダプタ本体は、直方体形状の外形を呈し、前記第１の光取出孔と第２の光取出孔は、前記アダプタ本体の対向する側面に形成されると良い。
【００１４】
また、本発明は、前記二連型ＬＣ用通信光検知用アダプタと、前記第１の光取出孔に嵌着される第１の受光素子と、前記第２の光取出孔に嵌着される第２の受光素子と、を有する通信光検知器と、を備える二連型ＬＣ用通信光検知構造である。
【００１５】
前記第１の光取出孔と第２の光取出孔は、同一の貫通孔からなり、前記第１の空間と前記第２の空間との間を区画する仕切壁は、前記第１の受光素子が一面に搭載されると共に前記第２の受光素子が他面に搭載された受光基板からなると良い。
【００１６】
前記第１の光取出孔と第２の光取出孔は、同一の貫通孔からなり、前記第１の空間と前記第２の空間との間を区画する仕切壁は、前記第１の受光素子と前記第２の受光素子との間から延在する仕切板部からなっても良い。
【００１７】
前記アダプタ本体は、前記仕切壁を位置調整する案内溝を更に有すると良い。
【発明の効果】
【００１８】
本発明によれば、二連型ＬＣコネクタに対応し、二つの光伝送路を構成することができ、しかも二つの光伝送路の通信状態を個別に確認することが可能な二連型ＬＣ用通信光検知用アダプタ及び二連型ＬＣ用通信光検知構造を提供することができる。
【図面の簡単な説明】
【００１９】
【図１】本発明に係る二連型ＬＣ用通信光検知用アダプタを示す斜視図である。
【図２】本発明に係る二連型ＬＣ用通信光検知用アダプタを示すＡ−Ａ線断面図である。
【図３】本発明に係る二連型ＬＣ用通信光検知用アダプタを示すＡ−Ａ線断面図である。
【図４】本発明に係る二連型ＬＣ用通信光検知構造を示すＡ−Ａ線断面図である。
【図５】本発明に係る二連型ＬＣ用通信光検知構造を示すＡ−Ａ線断面図である。
【図６】本発明に係る二連型ＬＣ用通信光検知用アダプタを示す斜視図である。
【発明を実施するための形態】
【００２０】
以下、本発明の好適な実施の形態を添付図面にしたがって説明する。
【００２１】
先ず、二連型ＬＣ用通信光検知用アダプタについて説明する。
【００２２】
図１及び図２に示すように、本発明の好適な実施の形態に係る二連型ＬＣ用通信光検知用アダプタ１００は、二連型ＬＣコネクタが嵌挿されたときに、通信光の一部が第１の漏洩光１０１として取り出される第１の光伝送路１０３と通信光の一部が第２の漏洩光１０２として取り出される第２の光伝送路１０４とを構成するものであり、光に対して不透明であるアダプタ本体１０５を備えている。
【００２３】
ここで、第１の漏洩光１０１とは、第１の光伝送路１０３で伝送されている通信光の一部が第１の光伝送路１０３の途中に形成されている光取出部を通じて第１の光伝送路１０３の外部に取り出されてなる光を意味しており、第２の漏洩光１０２とは、第２の光伝送路１０４で伝送されている通信光の一部が第２の光伝送路１０４の途中に形成されている光取出部を通じて第２の光伝送路１０４の外部に取り出されてなる光を意味している。
【００２４】
光取出部としては、例えば、特許文献１から特許文献３に記載された光検知用溝や特許文献５に記載された軸ズレ部等の公知の構造を採用することができるが、本明細書では詳細な説明を省略する。
【００２５】
また、アダプタ本体１０５が光に対して不透明であるとは、アダプタ本体１０５が光を吸収し易い材料で形成されている等して一種の光フィルタとして機能し、光を透過させない性質を有していることを意味している。
【００２６】
二連型ＬＣ用通信光検知用アダプタ１００は、二連型ＬＣコネクタ等を相互に接続する二連型ＬＣアダプタに改良を加えたものであり、例えば、光通信関連設備にて使用されているラックパネルに多連的に搭載されて使用されることが多い。
【００２７】
アダプタ本体１０５は、直方体形状の外形を呈しており、第１の光伝送路１０３が配置される第１の空間１０６と、第２の光伝送路１０４が配置される第２の空間１０７と、第１の空間１０６から第１の漏洩光１０１を取り出す第１の光取出孔１０８と、第２の空間１０７から第２の漏洩光１０２を取り出す第２の光取出孔１０９と、を有している。
【００２８】
第１の空間１０６は、第１の壁面１１０で区画されて他の空間から隔離されており、第２の空間１０７は、第２の壁面１１１で区画されて他の空間から隔離されている。
【００２９】
第１の光取出孔１０８は、通信光検知器１１２が二連型ＬＣ用通信光検知用アダプタ１００に取り付けられたときに、通信光検知器１１２に搭載された第１の受光素子１１３が外光を受光して第１の光伝送路１０３の通信状態を正確に確認することができなくなることを防止すべく、第１の受光素子１１３を嵌着することにより、第１の受光素子１１３を外光から遮光する機能を有している。
【００３０】
第２の光取出孔１０９は、通信光検知器１１２が二連型ＬＣ用通信光検知用アダプタ１００に取り付けられたときに、通信光検知器１１２に搭載された第２の受光素子１１４が外光を受光して第２の光伝送路１０４の通信状態を正確に確認することができなくなることを防止すべく、第２の受光素子１１４を嵌着することにより、第２の受光素子１１４を外光から遮光する機能を有している。
【００３１】
第１の光伝送路１０３の通信状態と第２の光伝送路１０４の通信状態とを個別に確認するためには、第１の受光素子１１３で第１の漏洩光１０１のみを受光すると共に第２の受光素子１１４で第２の漏洩光１０２のみを受光する必要がある。
【００３２】
この点、二連型ＬＣ用通信光検知用アダプタ１００は、光に対して不透明であるアダプタ本体１０５を備えていることから、二連型ＬＣ用通信光検知用アダプタ１００では、第１の空間１０６と第２の空間１０７とが相互に光学的に隔離されると共に、第１の空間１０６と第２の空間１０７とが外光が存在する他の空間から相互に光学的に隔離される。
【００３３】
そのため、第１の光伝送路１０３から取り出された第１の漏洩光１０１が第２の空間１０７に到達して第２の受光素子１１４で受光されたり、第２の光伝送路１０４から取り出された第２の漏洩光１０２が第１の空間１０６に到達して第１の受光素子１１３で受光されたりすることが無く、また他の空間に存在する外光が第１の空間１０６や第２の空間１０７に到達して第１の受光素子１１３や第２の受光素子１１４で受光されることが無い。
【００３４】
その結果、第１の受光素子１１３で第１の漏洩光１０１のみを受光することができると共に、第２の受光素子１１４で第２の漏洩光１０２のみを受光することができるようになるため、第１の漏洩光１０１と第２の漏洩光１０２との干渉（クロストーク）、又は第１の漏洩光１０１や第２の漏洩光１０２と外光との干渉が発生せず、第１の光伝送路１０３の通信状態と第２の光伝送路１０４の通信状態とを個別に正確に確認することが可能となる。
【００３５】
ところで、第１の光伝送路１０３と第２の光伝送路１０４とのピッチ間距離は、ＬＣコネクタの規格に準拠して６．２５ｍｍと非常に小さいため、並列に配置された第１の受光素子１１３と第２の受光素子１１４とで第１の漏洩光１０１と第２の漏洩光１０２とを個別に受光するためには、第１の受光素子１１３や第２の受光素子１１４として、寸法の小さいものを採用する必要がある。
【００３６】
ところが、第１の受光素子１１３や第２の受光素子１１４として、寸法の小さいものを採用すると、その寸法に応じて受光面積が減少して受光感度が低下することになることから、光を吸収し易い材料で形成されているアダプタ本体１０５で第１の漏洩光１０１と第２の漏洩光１０２とが吸収されてその光強度が低下した場合には、光強度の低下の程度にもよるが、第１の光伝送路１０３の通信状態と第２の光伝送路１０４の通信状態とを正確に確認することができなくなる虞がある。
【００３７】
そこで、二連型ＬＣ用通信光検知用アダプタ１００は、第１の壁面１１０に形成された第１の光反射層１１５と、第２の壁面１１１に形成された第２の光反射層１１６と、を更に備えていることが好ましい。
【００３８】
第１の光反射層１１５は、光取出部で球状に放射された第１の漏洩光１０１を反射して第１の受光素子１１３に向けて集光する機能を有しており、第２の光反射層１１６は、光取出部で球状に放射された第２の漏洩光１０２を反射して第２の受光素子１１４に向けて集光する機能を有している。
【００３９】
これらにより、アダプタ本体１０５が光に対して不透明であっても、即ち、アダプタ本体１０５が光を吸収し易い材料で形成されていても、第１の漏洩光１０１と第２の漏洩光１０２とがアダプタ本体１０５で吸収されること無く、第１の光反射層１１５や第２の光反射層１１６で反射されて第１の受光素子１１３や第２の受光素子１１４に到達する。
【００４０】
よって、第１の受光素子１１３に到達する第１の漏洩光１０１の光強度が低下したり、第２の受光素子１１４に到達する第２の漏洩光１０２の光強度が低下したりすることが無く、第１の光伝送路１０３の通信状態と第２の光伝送路１０４の通信状態とを更に正確に確認することが可能となる。
【００４１】
なお、第１の光反射層１１５と第２の光反射層１１６は、金属板又は金属蒸着層からなることが好ましい。これにより、第１の光反射層１１５や第２の光反射層１１６を樹脂成形体からなるアダプタ本体１０５に対して容易に形成することができる。
【００４２】
これまで説明してきたように、二連型ＬＣ用通信光検知用アダプタ１００によれば、アダプタ本体１０５が光に対して不透明であり、第１の光伝送路１０３が配置される第１の空間１０６と第２の光伝送路１０４が配置される第２の空間１０７とが相互に光学的に隔離されると共に、第１の空間１０６と第２の空間１０７とが外光が存在する他の空間から相互に光学的に隔離されることから、二連型ＬＣコネクタに対応し、第１の光伝送路１０３と第２の光伝送路１０４とを構成することができ、しかも、第１の光伝送路１０３の通信状態と第２の光伝送路１０４の通信状態とを個別に確認することが可能となる。
【００４３】
なお、先に説明した実施の形態は、本発明の具体的な一例に過ぎず、本発明の主旨を逸脱しない範囲で種々の変更を伴うことができる。例えば、本明細書では、一例として、並列に配置された第１の受光素子１１３と第２の受光素子１１４とが同一の面（図では上面）から嵌着される場合を説明しているが、図３に示すように、第１の光取出孔１０８と第２の光取出孔１０９が、アダプタ本体１０５の対向する側面２０１，２０２に形成されており、第１の受光素子１１３と第２の受光素子１１４とが別々の面から嵌着される二連型ＬＣ用通信光検知用アダプタ２００としても構わない。
【００４４】
これにより、第１の光伝送路１０３と第２の光伝送路１０４とのピッチ間距離に依存すること無く、ある程度の自由度を持って第１の受光素子１１３や第２の受光素子１１４を選定することができるため、より受光面積が大きく受光感度が高いものを採用することも可能となる。
【００４５】
これらの二連型ＬＣ用通信光検知用アダプタ１００，２００に通信光検知器１１２を取り付けることで二連型ＬＣ用通信光検知構造３００，４００となる。
【００４６】
次に、二連型ＬＣ用通信光検知構造について説明する。
【００４７】
図４に示すように、本発明の好適な実施の形態に係る二連型ＬＣ用通信光検知構造５００は、二連型ＬＣ用通信光検知用アダプタ５０１と、第１の光取出孔１０８に嵌着される第１の受光素子１１３と第２の光取出孔１０９に嵌着される第２の受光素子１１４とを有する通信光検知器１１２と、を備えている。
【００４８】
二連型ＬＣ用通信光検知用アダプタ５０１は、二連型ＬＣ用通信光検知用アダプタ１００と比較すると、第１の光取出孔１０８と第２の光取出孔１０９が、同一の貫通孔５０１からなり、第１の空間１０６と第２の空間１０７との間を区画する仕切壁５０２が、第１の受光素子１１３が一面に搭載されると共に第２の受光素子１１４が他面に搭載された受光基板からなる点が相違している。
【００４９】
通信光検知器１１２は、受光基板と一体的に形成されると共に貫通孔５０１を閉じる蓋部５０３と、蓋部５０３に形成された第３の光反射層５０４と、を更に有している。
【００５０】
また、アダプタ本体１０５は、仕切壁５０２を位置調整する案内溝５０５を更に有していることが好ましい。これにより、二連型ＬＣ用通信光検知用アダプタ５０１に対する通信光検知器１１２の位置調整を容易に行うことが可能となる。
【００５１】
他にも、図５に示すように、第１の光取出孔１０８と第２の光取出孔１０９が、同一の貫通孔５０１からなり、第１の空間１０６と第２の空間１０７との間を区画する仕切壁５０２が、第１の受光素子１１３と第２の受光素子１１４との間から延在する仕切板部からなる二連型ＬＣ用通信光検知構造６００としても構わない。
【００５２】
この場合、図６に示すように、仕切壁５０２の厚さを不均一とすると共に案内溝５０５の幅を不均一とし、第１の受光素子１１３が第１の光取出孔１０８のみに嵌着されると共に第２の受光素子１１４が第２の光取出孔１０９のみに嵌着されるように構成すると良い。これにより、第１の受光素子１１３が第２の光取出孔１０９に嵌着されると共に第２の受光素子１１４が第１の光取出孔１０８に嵌着されて第１の光伝送路１０３の通信状態と第２の光伝送路１０４の通信状態を逆に確認してしまうことを防止することができる。
【００５３】
これらの仕切壁５０２は、金属等の遮光性に優れると共に機械的強度に優れる材料からなることが好ましい。これにより、第１の空間１０６と第２の空間１０７との間を十分に遮光することができ、また通信光検知器１１２の位置調整を確実に行うことが可能となる。
【００５４】
以上の通り、本発明によれば、二連型ＬＣコネクタに対応し、二つの光伝送路を構成することができ、しかも二つの光伝送路の通信状態を個別に確認することが可能な二連型ＬＣ用通信光検知用アダプタ及び二連型ＬＣ用通信光検知構造を提供することができる。
【符号の説明】
【００５５】
１００  二連型ＬＣ用通信光検知用アダプタ
１０１  第１の漏洩光
１０２  第２の漏洩光
１０３  第１の光伝送路
１０４  第２の光伝送路
１０５  アダプタ本体
１０６  第１の空間
１０７  第２の空間
１０８  第１の光取出孔
１０９  第２の光取出孔
１１０  第１の壁面
１１１  第２の壁面
１１２  通信光検知器
１１３  第１の受光素子
１１４  第２の受光素子
１１５  第１の光反射層
１１６  第２の光反射層
【図１】
2015200707.tif 000003
【図２】
2015200707.tif 000004
【図３】
2015200707.tif 000005
【図４】
2015200707.tif 000006
【図５】
2015200707.tif 000007
【図６】
2015200707.tif 000008